(57)【特許請求の範囲】
【請求項１】
略長方形に形成された二つの枠（２）（２）を正面視で略「Ｘ」字状に交差した状態に形成し、前記二つの枠（２）（２）は交差する箇所に設けた支点（３）を軸に水平方向に開閉して任意の角度で止まり、垂直に自立できるように構成し、前記略長方形に形成された二つの枠（２）（２）の正面に位置する枠（２）（２）の縦辺の上方には、前記支点（３）を中心としてそれぞれ対向する対称位置にブロック（４）（４）が装着され、前記ブロック（４）（４）を指でその上面を下方向または水平方向に押すことにより前記二つの枠（２）（２）の交差角度を容易に拡大設定できるようにしたことを特徴とする書籍・商品等の転倒防止スペーサ。
【請求項２】
前記二つの枠（２）（２）が交差する箇所に設けられた支点（３）は、前記二つの枠（２）（２）が接触する面を形成し、外枠と内枠の間にスプリングワッシャ（８）を挟み嵌め合わせ、前記接触する面に設けた挿通孔（７）に蝶ネジ（９）を貫通させ固定ナット（１０）により固定することにより形成されて、摩擦力を調整して前記二つの枠（２）（２）が交差する角度を自在に設定できるように構成したことを特徴とする請求項１に記載した書籍・商品等の転倒防止スペーサ。
【請求項３】
前記ブロック（４）（４）は、指幅の面をもつ略三角柱であり、その上面は斜め下方向に力が働く角度を持った傾斜面に形成していることを特徴とする請求項１または請求項２のいずれかに記載した書籍・商品等の転倒防止スペーサ。
【請求項４】
前記略三角柱のブロック（４）の正面に位置する面は平面であって、ＰＯＰ広告等の表示片（１１）等を貼付したことを特徴とする請求項１〜請求項３のいずれかに記載した書籍・商品等の転倒防止スペーサ。
【請求項５】
側面視で前記略長方形の枠状に形成された二つの枠（２）（２）の下方の枠辺に、ゴム質製等の滑り止め（６）を巻きつけたことを特徴とする請求項１〜請求項４のいずれかに記載した書籍・商品等の転倒防止スペーサ。
【発明の詳細な説明】
【技術分野】
【０００１】
本発明は、書棚または陳列棚に立てて置かれている書籍、カタログ、コンパクトディスク、食料品等の物品の転倒を防ぐための垂直に自立できる折畳み可能な転倒防止スペーサに関するものである。
【背景技術】
【０００２】
一般に、オフィス及び家庭においては、書籍、文書等は必要なときに容易に探し出せかつ取り出せるように、書棚に立てた状態で置かれ保管されている。また、多くの書籍、商品等を陳列する必要のある書店、図書館、商店などにおいても、利用者が所望する書籍、商品等を容易に発見できるようにするために、書籍、商品等は書棚または陳列棚に立てた状態で置かれている。
【０００３】
しかし、保管または陳列する書籍、商品等の数は書棚または陳列棚の幅を常に満たすとは限らないため、収納商品に増減があり、書棚または陳列棚に不規則に隙間ができてしまうことが多々ある。
この場合、自立可能な厚みをもたない書籍、商品等は倒れてしまうため書籍、商品が傷むとともに、倒れた状態にあるときは視認性を損なうため容易に所望する書籍、商品等が発見できないという欠点があった。
【０００４】
この改善策として、溝型に成形した板ばねを組み立ておよび分解することにより書棚の隙間を調整する方法がある。しかしながらこの方法でも、閉店・閉館後に数多くの書棚を整理する必要がある書店または図書館では、書棚の隙間に合わせるために分解・組み立てをしていては労を要するために短時間で効率よく整理することは困難である。
【０００５】
【特許文献１】特開２００２−１６５６５１号公報。                                          実開昭５６−９０１４１号公報。                                              実開昭５６−１３０４４５号公報。
【発明の開示】
【発明が解決しようとする課題】
【０００６】
解決しようとする問題点は、書棚または陳列棚にできた隙間を労を要することなく任意に埋められるようにして、書類、商品等が倒れて傷むのを防ぐ点である。
【課題を解決するための手段】
【０００７】
本発明は、書棚または商品棚にできた隙間を労を要することなく埋められるようにするために、略長方形の枠状に形成された二つの枠を略「Ｘ」字状に交差した状態に結合させ、前記二つの枠を交差する箇所に設けた支点を軸に水平方向に開閉して任意の角度で止まり、全体の幅を任意の幅にすることができる折り畳み自在で、垂直に自立できるように構成したことを最も主要な特徴とする。
【０００８】
また、摩擦力を調整して前記二つの枠が交差する角度を自在に設定できるようにするために、前記二つの枠が交差する箇所に設けた支点は、前記二つの枠が接触する面を凹面に形成し、外枠と内枠の間にスプリングワッシャを挟み嵌め合わせ、前記凹面に設けた挿通孔に外枠から内枠方向に蝶ネジを貫通させナットにより固定することにより構成したことを特徴とする。
【０００９】
さらには、略長方形の枠状に形成された二つの枠が交差する角度を指のみの力で容易に調整できるようにするために、前記略長方形の枠状に形成された二つの枠の正面に位置する枠には、前記支点を中心としてそれぞれ対向する対称位置に指幅の面をもつ略三角柱のブロックが取り付けられていることを特徴とする。
【発明の効果】
【００１０】
本発明に係る書籍、商品等の転倒防止スペーサは、垂直に自立でき折畳み幅の調整がワンタッチでできる構造であり、保管または陳列する書籍、商品等の数が書棚または陳列棚の幅に満たない場合にできる隙間に対して、書籍、商品等の転倒防止スペーサの幅を調整することにより任意に埋めることができ、書籍、商品等を常に垂直に立てた状態で陳列できるので、書籍、商品等が倒れて傷むことを防ぐことができる。
また、書籍、商品等を常に垂直に立てた状態で陳列できるので、書店、図書館、商店等において利用者が所望する書籍、商品等を容易に発見できるという利点がある。
勿論スペーサとしてではなく,ブックエンドとしても機能する。
さらに、摩擦力を調整することを可能にしているので、書籍、商品等の転倒防止スペーサの幅をお年寄りから子供まで指の力のみで容易に広狭できることから、開館中・営業中または閉館後・閉店後に行う多くの書籍棚または商品棚の整理を短時間で効率よくできるという利点がある。
【発明を実施するための最良の形態】
【００１１】
本発明は、保管または陳列する書籍、商品等の数が書棚または陳列棚の幅に満たない場合にできる隙間を適宜に埋めて、書籍、商品等が転倒して傷むのを防止するという目的を、組み立て・分解する必要のない構造で実現した。以下、本発明の実施の一形態を添付図面に基づいて説明する。
【実施例１】
【００１２】
図１、図２、図３は、本発明に係る書籍・商品等の転倒防止スペーサ１の実施例１を示している。
図１は、本発明に係る書籍・商品等の転倒防止スペーサ（１）の実施例１を書棚に設置した状態の正面図である。
図１では、書棚においた本が左右にあり、中間に隙間が出来たときに、左右の本の間に、書籍・商品等の転倒防止スペーサ（１）をおいて、左右の本が倒れないようにしている。
スペーサ（１）は、その開拡の幅をワンタッチで調整でき、上下の枠端部で左右の本に接触して保持する。
仮にもう１冊の本が増えて収納するときは、スペーサ（１）を狭めて、１冊の本を書棚に収納し、ついでスペーサ（１）を拡げれば、本１冊分だけ幅を狭くした状態で開拡して、かつ左右の本に接触して、左右の本の転倒を防止することになる。
なお、例えば、スペーサ（１）の右側に隙間があり、本に接触していなくてもスペーサ（１）は、自立するので、少なくともスペーサ（１）に接触する左側の本は転倒することはない。
【００１３】
スペーサ（１）は、実物実施例では、直径３mm〜6ｍｍの針金を素材として作成した枠（２）（２）を二本組み合わせているが、図面では、素材を拡大表示して、太い針金又は角棒を屈折して形成しているように示している。
針金は略長方形に成型された枠状に作り、横１００mm×縦１５０mmの略長方形を二つ組み合わせた小型枠、横１５０mm×縦１８０mmの略長方形を二つ組み合わせた中型枠、横２００mm×縦２７０mmの略長方形を二つ組み合わせた大型枠など、その寸法は書籍や物品の大きさに応じて作成している。
枠（２）（２）の縦辺の中間部は、接触する面を凹面に加工している。
【００１４】
このような、略長方形に形成された二つの太い針金の枠（２）を二本用いて、図１の正面視で略「Ｘ」字状に交差させ、交差する箇所に設けた支点（３）を支軸にして連結している。
正面視では、枠（２）（２）は折り畳んだ状態でも縦辺相互間に指先が入るような間隙を残して、支点（３）から若干の湾曲を形成して開閉自在に交差組み合わせている。
枠（２）（２）は、水平方向に開閉して任意の角度で止まり、全体として垂直に自立できるように、支点（３）に適切な摩擦を維持して形成されている。
【００１５】
正面視で縦辺になる二つの太い針金の枠（２）の上方には、支点（３）を中心としてそれぞれ対向する対称位置に、正面視で端面を三角形にする略三角柱のブロック（４）（４）を一対設けている。
ブロック（４）（４）として、指幅の面をもつ略三角柱のコルク材が装着され、前記ブロック（４）（４）を指で下方向または水平方向に押すことにより前記二つの枠（２）（２）の交差角度を容易に拡大設定できるようにしている。
略三角柱のブロック（４）（４）は、上面を平らな面としている。
上面は、好ましくは後述する図７の実施例４の拡大正面図に示すように、閉塞時は内方向に傾斜した面で、斜め下方向に力が働く角度を持った傾斜面に形成している。
換言すれば、ブロック（４）（４）の上面は、枠（２）（２）の「X」状の最大開拡のときに、その上面を水平になるような位置で取り付けられる。
図７は、枠（２）（２）を針金で作成したものにおいて、コルク製のブロック（４）（４）を装着したもので、閉まった状態を示す上半分の拡大正面図である。
同じく図８は、図７の実施例４の下方にコルク製のブロック（５）を付設したもので枠（２）（２）が閉まった状態を示す全体の正面図である。
コルク製のブロック（４）の上面の角度により、上面を指で無造作に矢印（Ａ）の下方向に押しても、この傾斜面により開く方向に力が加わるので、矢印（Ｃ）の方向へ小さな力でも容易に開拡する。
略三角柱のブロック（４）（４）の正面に位置する面は、平面に形成している。
ブロック（４）（４）は、それを取り付けるときは、その一面に溝を設けて枠辺に嵌め合わせることにより装着している。
この略三角柱のブロック（４）（４）を矢印（A）のように、具体的には下方または水平方向に、二本の指で夫々のブロック（４）の上面を軽く押すことにより、二つの枠（２）（２）を開閉して、交差角度を書棚または商品棚にできる隙間に応じた任意の角度に設定できる。
ブロック（４）（４）は、枠（２）（２）の「X」状の最大開拡のときに、その上面を水平になるような位置で取り付けられているので、この状態から指二本で、ブロック（４）（４）を上から押圧するだけで、所望の幅に狭めることができる。
【００１６】
さらに、正面に位置する二つの太い針金の枠（２）の下方には、支点（３）を中心としてそれぞれ対向する対称位置に、ブロック（５）（５）を一対設けている。
ブロック（５）（５）は、親指と人差し指で挟んで折り畳むときの指掛けのためである。矢印（B）のように、指先ではさめば、簡単に狭めてしまうことができる。
略三角柱のブロック（５）（５）は、側面を平らな面としている。
側面は、好ましくは図８の正面図に示すように、閉作動がしやすく斜め下方向に力が働く角度をもつようにブロック（５）の側面は垂直又は少し角度を形成している。
この角度により、ブロック（５）を指で無造作に挟んだり、下方向に押しても、この傾斜面により閉じる方向に力が加わるので、小さな力でも容易に折り畳むことができる。
略三角柱のブロック（５）の正面に位置する面は、平面に形成している。
実施例１では、ブロック（４）．（５）は、コルク材で作成している。
ブロック（４）．（５）は、実施例では滑りにくいコルク材で作成した形態を示しているが、枠（２）と一体に成型した凸部や屈折部として形成することや他の素材で形成することも、本発明には含まれる。
【００１７】
図２は、本発明に係る書籍・商品等の転倒防止スペーサ（１）の斜視図を示している。
略長方形の枠状に形成された二つの枠（２）（２）の側面視で底辺に位置する枠辺には、枠辺の下側から半円形に形成したゴム製等の滑り止め（６）を巻きつけている。
滑り止め（６）により、自立性が高まり、左右両側面からスペーサ（１）を書籍、商品、壁等で支持しなくても、垂直に自立を維持できる。
【００１８】
図３は、図1で指示する支点（３）を拡大した側面図を示している。
支点（３）は、前記のように二つの枠（２）が「X」上に交差して接触する中間部である左右２ヶ所に設けられる。
手前側の支点（３）は、二つの枠（２）、（２）が「X」上に交差して接触する中間部をプレス加工して平面或いは凹面に形成し、挿通孔（７）を穿設して、外枠と内枠の間に金属製のスプリングワッシャ（８）を挟み嵌め合わせ、前記凹面に設けた挿通孔（７）に外枠から内枠方向に蝶ネジ（９）を貫通させ、内側の枠（２）の反対面の固定ナット（１０）に螺合することで形成されている。
スプリングワシャ（８）は、所望の角度姿勢を一時的に維持するものであればよい。又、蝶ネジ（９）も支点（３）の摩擦を調整できれば、蝶ネジ（９）に限定するものではない。
このような構成で蝶ネジ（９）を緩めまたは締め付けることにより摩擦力の調整ができるので、二つの枠（２）（２）が交差する角度を自在に設定でき、二つの枠（２）が垂直に自立できる。
【００１９】
正面視での後ろ側の支点（３）は、図２・図５・図６のように、前側と同じ構成である。しかし、前側に蝶ネジ（９）を設けたときは、外枠と内枠の間に金属製のスプリングワッシャ（８）を挟み嵌め合わせてネジ止めしただけでもよい。調整のための蝶ネジ（９）等は省略してなるべく簡単な構成でよい。
蝶ネジ（９）のある支点（３）側で、角度調整や締め付け維持ができるので、スプリングワッシャ（８）を省略しても良い。
【００２０】
蝶ネジ（９）で、一旦調整すれば、書籍・商品等の転倒防止スペーサ（１）は、自立しており、その後は指で簡単に幅を広狭自由に調整でき、その調整角度で自立する。
書籍・商品等の転倒防止スペーサ（１）は、その左右の枠（２）（２）の上端辺と下端辺が、書籍や商品に対して垂直な面を作り、当接した書籍や商品を直立して維持する。
【実施例２】
【００２１】
図４は、本発明に係る書籍・商品等の転倒防止スペーサ（１）の異なる実施形態を示している。
図４の実施例２は、他の部品を付して本発明の転倒防止スペーサ（１）を商品棚に設置した状態の正面図である。
指幅の面を持つ略三角柱のブロック（４）及びブロック（５）の正面に位置する面は、平面に形成しており、粘着テープ等で、「商品補充中」とか「品切れ」などの告示やＰＯＰ広告等の表示片（１１）が貼付できる。
表示片（１１）を貼付すると、スペーサ（１）の開拡幅は固定することもできる。表示片（１１）の取り付けて開拡幅を固定する場合は、主として広告機能を重視して使用する場合になる。
広告等の表示片（１１）は、より美的に空きを隠したり、積極的な広告スペースとなるので、商品の陳列には、有用である。
因みに、図２等では蝶ネジ（９）が突出するように表現しているので、表示片（１１）の貼るときに邪魔になるようなイメージであるが、蝶ネジ（９）は、図８のような小さい摘みネジを選択し、一方ブロック（４）及びブロック（５）を厚めのコルク材を使用してその正面に位置する平面を蝶ネジ（９）より高くして構成することなどは設計上変更できる。
変形例としては、蝶ネジ（９）を枠（２）の内側の固定ナット（１０）の位置と取り替えてに取り付ける構成でも良い。
このような構成で表示片（１１）は、視認しやすく貼付できる。
表示片（１１）を固定しないで取り付けて、枠（２）（２）の開拡幅を自在にする構成では、前記図１の説明と同様に、左右の本や商品の間に、書籍・商品等の転倒防止スペーサ（１）をおいて、隙間を埋めて、左右の本が倒れないようにしている。本の抜き出し等で隙間の幅が変わっても、スペーサ（１）はその幅に応じた幅に開拡又は閉狭して、左右の本等を転倒防止して保持する。
【実施例３】
【００２２】
図５は、本発明に係る書籍・商品等の転倒防止スペーサ（１）の異なる実施形態の実施例３の斜視図である。
金属製の角棒で形成している。
尚、枠（２）の素材は、針金などに限らず、陶器製や木製、竹製など、高級感を要請される状況や、大量に必要とされるスーパー陳列棚などその用途に応じてその素材は変更できる。
図５の実施例３は、略長方形の枠状に形成された二つの各枠（２）（２）に、支点（３）より下部に位置する枠辺部に鉄板製又は陶器製、ガラス製等の錘板（１２）を装着した構成である。下半分に自重を加えて、安定性を高め、かつ装飾性を加味した構成である。錘板（１２）の取り付けは、着脱嵌合が任意に出来る構成である。
これにより、書籍、商品等の重量に関らず安定して垂直に自立できる
【００２３】
図６は、実施例３にさらに略長方形の枠状に形成された二つの各枠（２）（２）に、支点（３）の上部及び下部に位置する枠辺内部に錘板（１２）を装着した実施形態の斜視図を示している。自重を加えて、重厚な作りとしている。
書籍、商品等の重量に関らず安定して垂直に自立できる。
【実施例４】
【００２４】
図７、図８は、枠（２）（２）を針金（直径３ｍｍの金属棒）で略長方形上に作成したものにおいて、上方にコルク製のブロック（４）（４）と、下方にコルク製のブロック（５）（５）を付設した実施例４を示すものである。
実施例４を示す図７、図８では、枠（２）（２）は閉まった状態を示している。
図８の支点（３）は、蝶ネジ（９）の代わりに摘みネジを設けたもので、よりシンプルにしたものである。
【産業上の利用可能性】
【００２５】
本発明に係る書籍・商品等の転倒防止スペーサは、指での簡単な指示で変形自在であり、書棚や商品棚のスペースを自在な幅で埋めて、空を作らないものである。又自立して枠の上下辺で左右両側に垂直面を形成するので、本等を倒すことなく垂直に維持できる。
商品棚等に隙間をつくらないので、店舗や陳列の美観も維持できる。
特に大量に多数列に陳列されているような場合において商品陳列を整然とする作業では、ブロックへのワンタッチで広狭自在に隙間にあった変形を行うので、その作業効率は格段に向上し、大型店舗の陳列什器備品として利用できる可能性がある。
書棚のブックエンドやスペーサとして、利用できることは勿論、商品陳列を整然と維持し、広告表示もできる。
書庫の整理備品としてや、陳列什器の備品として、広く利用できる。
【図面の簡単な説明】
【００２６】
【図１】図1は、本発明に係る書籍・商品等の転倒防止スペーサの一実施例１の使用状態を示すもので、書棚の本を支持している状態の正面図である。
【図２】図２は、本発明に係る書籍・商品等の転倒防止スペーサの一実施例１を示す斜視図である。
【図３】図３は、実施例１の支点の一部を拡大した一部側面図である。
【図４】図４は、表示片を付した実施例２を示すもので、書籍・商品等の転倒防止スペーサを商品棚に設置した状態の正面図である。
【図５】図５は、略長方形の枠状に形成された二つの各枠に、支点より下部に位置する枠辺部に錘板を装着した構成の実施例３の斜視図である。
【図６】図６は、略長方形の枠状に形成された二つの各枠に、支点の上部及び下部に位置する枠辺内部に錘板を装着した実施例３の斜視図である。
【図７】図７は、枠を針金で作成した実施例４においてブロック（４）の形態を示す部分の拡大正面図である。
【図８】図８は、枠を針金で作成した実施例４においてブロック（５）の形態を示す全体の正面図である。
【符号の説明】
【００２７】
１    スペーサ本体
２    枠
３    支点
４    ブロック
５    ブロック
６    滑り止め
７    挿通孔
８    スプリングワシャ
９    蝶ネジ
１０    固定ナット
１１    表示片
１２    錘板
【要約】
【課題】書棚または陳列棚にできた隙間を労を要することなく短時間で効率よく埋められるようにして、書類、商品等が倒れて傷むのを防ぐ書籍、商品等の転倒防止スペーサを提供することを目的とする。
【解決手段】書籍棚または陳列棚の隙間を埋めて書籍または商品の転倒を防ぐために、略長方形の枠状に形成された二つの枠（２）（２）を略「Ｘ」字状に交差した状態に結合させ、前記二つの枠（２）（２）が交差した支点（３）を軸に水平方向に開閉して任意の角度で止まり、垂直に自立できるように構成する。
枠（２）の上方には、指で押してワンタッチで開拡するために、上面を傾斜面としたブロック（４）（４）を一対設けている。
【選択図】図２
【図１】
0003640956.tif 000002
【図２】
0003640956.tif 000003
【図３】
0003640956.tif 000004
【図４】
0003640956.tif 000005
【図５】
0003640956.tif 000006
【図６】
0003640956.tif 000007
【図７】
0003640956.tif 000008
【図８】
0003640956.tif 000009